(57)【要約】【課題】本発明は、角が隅切りされた、触感がやさしくて扱いやすい印画物を出力するプリンタの提供を目的とする。【解決手段】本発明に係るプリンタは、印刷用紙４が巻かれて構成されたロール紙４１から当該印刷用紙４を引き出して印刷を行うプリンタであって、印刷用紙４に印刷を行う印刷部と、印刷部にて印刷された印刷用紙４を切断してロール紙４１から切り離すカッターを有する切断部６と、を備え、カッターは、印刷用紙４の幅方向の角をそれぞれ隅切りする第１、第２の角切断用刃６１，６２を備える。【選択図】図１
2016179635.tif 000002
【特許請求の範囲】
【請求項１】
印刷用紙が巻かれて構成されたロール紙から当該印刷用紙を引き出して印刷を行うプリンタであって、
前記印刷用紙に印刷を行う印刷部と、
前記印刷部にて印刷された印刷用紙を切断して前記ロール紙から切り離すカッターを有する切断部と、
を備え、
前記カッターは、前記印刷用紙の幅方向の角をそれぞれ隅切りする第１、第２の角切断用刃を備える、
プリンタ。
【請求項２】
前記カッターは、
前記第１、第２の角切断用刃間において前記印刷用紙の幅方向に延在する直線刃をさらに備える、
請求項１に記載のプリンタ。
【請求項３】
前記第１、第２の角切断用刃のそれぞれは、前記印刷用紙に対して平面視で前記印刷用紙の内側にすぼまった略Ｖ字形状である、
請求項１または請求項２に記載のプリンタ。
【請求項４】
前記第１、第２の角切断用刃は、前記直線刃と一体になっている、
請求項２に記載のプリンタ。
【請求項５】
前記第１、第２の角切断用刃は、前記直線刃と分離している、
請求項２に記載のプリンタ。
【請求項６】
前記第１、第２の角切断用刃の少なくとも一方は、前記印刷用紙の幅方向に移動可能である、
請求項５に記載のプリンタ。
【請求項７】
前記第１、第２の角切断用刃は、曲線状の刃である、
請求項１から請求項６のいずれか一項に記載のプリンタ。
【請求項８】
前記第１、第２の角切断用刃は、直線状の刃である、
請求項１から請求項６のいずれか一項に記載のプリンタ。
【請求項９】
前記第１、第２の角切断用刃は、折れ線状の刃である、
請求項１から請求項６のいずれか一項に記載のプリンタ。
【発明の詳細な説明】
【技術分野】
【０００１】
本発明はプリンタに関し、特に印刷用紙が巻かれて構成されたロール紙から当該印刷用紙を引き出して印刷を行うプリンタに関する。
【背景技術】
【０００２】
従来のロール状に巻かれた印刷用紙（以後ロール紙と呼ぶ）を使用するプリンタにおいては、印画データがプリンタに送られると、ロール紙から印刷用紙を引き出し、印刷用紙を所定の印画開始位置に搬送するとともに、イエロー、マゼンタ、シアン、のインク染料と保護層材料が塗布されたインクリボンを印画開始位置まで進めてイエローの頭出しを行った後、サーマルヘッドとプラテンローラを圧接する。サーマルヘッドで印刷データに応じた熱をインクリボンに加えてイエロー染料を印刷用紙に熱転写することで、イエローのデータを印画する。イエローの印画刷が終了した後は、マゼンタ、シアン、保護層の印画刷動作についても、前記イエローと同様の動作を行う。
【０００３】
各色インクおよび保護層の印刷が終了した後、印刷用紙を所定の長さ搬送し、印画された印刷用紙をロール紙からカッターにて所定の位置で切断し、該当印画物を排紙する（例えば、特許文献１参照）。
【先行技術文献】
【特許文献】
【０００４】
【特許文献１】特開２０１３−８６２６６号公報
【発明の概要】
【発明が解決しようとする課題】
【０００５】
従来のプリンタでは、固定刃と可動刃で印刷用紙を挟んで切断するギロチンタイプのカッターや、丸い可動刃が回転しながら印刷用紙を切断するサークルカッターなどが使用されていた。これらのカッターは、印刷用紙を直線的に切断するため印画物の角が直角に近い仕上がりとなる。
【０００６】
近年、例えば子供向けのカードを印刷するために、厚みのある印刷用紙に対して熱転写プリンタで印刷が行われている。印刷されたカードの角が直角に近いと、触感が鋭利で扱いにくいという問題があった。
【０００７】
本発明は、上述のような課題を解決するためになされたものであり、角が隅切りされた、触感がやさしくて扱いやすい印画物を出力するプリンタの提供を目的とする。
【課題を解決するための手段】
【０００８】
本発明に係るプリンタは、印刷用紙が巻かれて構成されたロール紙から当該印刷用紙を引き出して印刷を行うプリンタであって、印刷用紙に印刷を行う印刷部と、印刷部にて印刷された印刷用紙を切断してロール紙から切り離すカッターを有する切断部と、を備え、カッターは、印刷用紙の幅方向の角をそれぞれ隅切りする第１、第２の角切断用刃を備える。
【発明の効果】
【０００９】
本発明に係るプリンタによれば、印刷用紙４の角を隅切りする第１、第２の角切断用刃を備えるため、四隅の角が隅切りされた印画物を得ることが可能である。よって、角が隅切りされた、触感が優しくて扱いやすい印画物を得ることが可能である。
【図面の簡単な説明】
【００１０】
【図１】実施の形態１に係るプリンタの概略構成を示す図である。
【図２】実施の形態１に係るプリンタのカッターの可動刃および固定刃の平面図である。
【図３】実施の形態１に係る切断部による前端の切断動作を説明する図である。
【図４】実施の形態１に係る切断部による後端の切断動作を説明する図である。
【図５】実施の形態１の第１の変形例に係るプリンタのカッターの可動刃および固定刃の平面図である。
【図６】実施の形態１の第２の変形例に係るプリンタのカッターの可動刃および固定刃の平面図である。
【図７】実施の形態２に係るプリンタの概略構成を示す図である。
【図８】実施の形態２に係るサーマルプリンタのカッターの可動刃および固定刃の平面図である。
【発明を実施するための形態】
【００１１】
＜実施の形態１＞
＜構成＞
図１は、本実施の形態１におけるサーマルプリンタの概略構成を示す図である。サーマルプリンタは、印刷用紙４に印刷を行う印刷部と、印刷部にて印刷された印刷用紙４を切断してロール紙４１から切り離すカッターを有する切断部６と、を備える。
【００１２】
印刷部は、サーマルヘッド１と、プラテンローラ２と、インクリボン巻出しボビン３１と、インクリボン巻き取りボビン３２とを備える。サーマルプリンタには印刷用紙４がロール状に巻かれたロール紙４１が装着され、印刷用紙搬送ローラ５により印刷用紙４がロール紙４１から引き出されている。インクリボン巻出しボビン３１およびインクリボン巻き取りボビン３２にはインクリボン３が装着されている。サーマルプリンタは、サーマルヘッド１とプラテンローラ２との間でインクリボン３とともに印刷用紙４に熱と圧力を加えることで、インクリボン３のインクを印刷用紙４に転写する。
【００１３】
切断部６はカッターと、カッター駆動部（図示せず）とを備える。カッターは、上下方向（図１の±ｚ方向）に可動する可動刃６ａと、可動刃６ａの受け刃となる固定刃６ｂから構成される。図２（ａ）はカッターの可動刃６ａの平面図である。図２（ｂ）は、カッターの固定刃６ｂの平面図である。また、図２（ｃ）はカッターの正面図である。図２（ｃ）に示すように、可動刃６ａと固定刃６ｂとの間に印刷用紙４が挟まれた状態において、可動刃６ａが固定刃６ｂに押し付けられることにより、印刷用紙４が切断される。
【００１４】
図２（ａ）に示すように、可動刃６ａは、印刷用紙４の幅方向の角をそれぞれ隅切りする第１、第２の角切断用刃６１，６２を備える。また、カッターの可動刃６ａは、第１、第２の角切断用刃６１，６２間において印刷用紙４の幅方向に延在する直線刃６３を備える。第１、第２の角切断用刃６１，６２と直線刃６３とは一体になっている。
【００１５】
図２（ａ）に示すように、第１、第２の角切断用刃６１，６２のそれぞれは、平面視で印刷用紙４の内側にすぼまった略Ｖ字形状である。また、図２（ａ）に示すように、本実施の形態１における第１、第２の角切断用刃６１，６２は、曲線状の刃である。
【００１６】
＜動作＞
図３および図４を用いて、本実施の形態１における切断部６の動作を説明する。まず、ロール紙４１がサーマルプリンタに装着されると、印刷用紙搬送ローラ５が駆動してロール紙４１から引き出された印刷用紙４が搬送される。印刷用紙４は、切断部６を通過したところまで搬送される。そして、切断部６において、カッター駆動部が可動刃６ａを駆動することにより、印刷用紙４の印画物となる印画物領域４ｃの前端４ｃａが可動刃６ａと固定刃６ｂとの間に挟まれて切断される（図４）。切断によりカット屑４ｂが生じる。図４に示すように、印刷用紙４の先端領域４ａ部分が切断されて、切断後の印刷用紙４の前端４ｃａの角が曲線状に隅切りされた状態となる。
【００１７】
次に、印画データがサーマルプリンタに送られると、印刷用紙搬送ローラ５は印刷用紙４を所定の位置まで搬送する。それとともに、ンクリボン巻出しボビン３１およびインクリボン巻き取りボビン３２が駆動してインクリボン３を所定の位置まで進めてイエローの頭出しを行う。この状態において、サーマルヘッド１とプラテンローラとの間で、インクリボン３と印刷用紙４が圧接される。そして、画像データに基づいてサーマルヘッド１がインクリボン３を加熱することで、イエロー染料が印刷用紙４に熱転写される。
【００１８】
イエローの印画が終了した後は、マゼンタ、シアン、保護層が、イエローの印画動作と同様の動作により順に熱転写される。
【００１９】
全ての色について熱転写が完了した後、印刷用紙搬送ローラ５は、印刷用紙４を所定の位置（切断部６を通過した位置）まで搬送する。そして、切断部６において、カッター駆動部が可動刃６ａを駆動することにより、印刷用紙４の印画物となる印画物領域４ｃの後端４ｃｂが可動刃６ａと固定刃６ｂとの間で挟まれて切断される（図５）。図５に示すように、印画物となる印画物領域４ｃの後端４ｃｂが切断される。この時、次の印画物となる領域の先端も同時に隅切りされる。切断によりカット屑４ｂが生じる。以上の切断動作により、四隅の角が曲線状に隅切りされた印画物を得る。
【００２０】
＜効果＞
本実施の形態１におけるプリンタは、印刷用紙４が巻かれて構成されたロール紙４１から当該印刷用紙４を引き出して印刷を行うプリンタであって、印刷用紙４に印刷を行う印刷部と、印刷部にて印刷された印刷用紙４を切断してロール紙４１から切り離すカッターを有する切断部６と、を備え、カッターは、印刷用紙４の幅方向の角をそれぞれ隅切りする第１、第２の角切断用刃６１，６２を備える。
【００２１】
従って、本実施の形態１におけるプリンタは、印刷用紙４の角を隅切りする第１、第２の角切断用刃６１，６２を備えるため、四隅の角が隅切りされた印画物を得ることが可能である。よって、角が隅切りされた、触感が優しくて扱いやすい印画物を得ることが可能である。
【００２２】
また、本実施の形態１におけるプリンタにおいて、カッターは、第１、第２の角切断用刃６１，６２間において印刷用紙４の幅方向に延在する直線刃６３をさらに備える。
【００２３】
従って、カッターが直線刃６３を備えることにより、印刷用紙４をロール紙４１から切り離すことが可能となる。
【００２４】
また、本実施の形態１におけるプリンタにおいて、第１、第２の角切断用刃６１，６２のそれぞれは、印刷用紙４に対して平面視で印刷用紙４の内側にすぼまった略Ｖ字形状である。
【００２５】
従って、第１、第２の角切断用刃６１，６２のそれぞれにおいて、印刷用紙４の前端の隅切りおよび後端の隅切りの両方の用途に用いることが可能となる。
【００２６】
また、本実施の形態１におけるプリンタにおいて、第１、第２の角切断用刃６１，６２は、直線刃６３と一体になっている。
【００２７】
従って、本実施の形態１によれば、従来と同様に、一組の可動刃６ａと固定刃６ｂを備える１つのカッターにより、四隅の角を隅切りした印画物を得ることができる。
【００２８】
本実施の形態１におけるプリンタにおいて、第１、第２の角切断用刃６１，６２は、曲線状の刃である。
【００２９】
従って、四隅の角が曲線状に丸く隅切りされた印画物を得ることが可能である。四隅の角が曲線状に丸く隅切りされているため、触感がより優しくてより扱いやすい印画物を得ることが可能である。
【００３０】
＜実施の形態１の変形例＞
図５（ａ）、図５（ｂ）のそれぞれは、実施の形態１の第１の変形例における切断部６の可動刃６ａ、固定刃６ｂの平面図である。図５（ａ）に示すように、切断部６に備わる第１、第２の角切断用刃６１，６２は、直線状の刃である。この場合、印刷用紙４の角は直線状に隅切りされる。
【００３１】
図６（ａ）、図６（ｂ）のそれぞれは、実施の形態１の第２の変形例における切断部６の可動刃６ａ、固定刃６ｂの平面図である。図６（ａ）に示すように、切断部６に備わる第１、第２の角切断用刃６１，６２は、折れ線状の刃である。この場合、印刷用紙４の角は折れ線状に隅切りされる。
【００３２】
＜効果＞
実施の形態１の第１の変形例におけるプリンタにおいて、第１、第２の角切断用刃６１，６２は、直線状の刃である。
【００３３】
従って、実施の形態１の第１の変形例におけるプリンタは、四隅の角が直線状に隅切りされた印画物を得ることが可能である。よって、角が隅切りされた、触感がやさしくて扱いやすい印画物を得ることが可能である。
【００３４】
実施の形態１の第２の変形例におけるプリンタにおいて、第１、第２の角切断用刃６１，６２は、折れ線状の刃である。
【００３５】
従って、実施の形態１の第２の変形例におけるプリンタは、四隅の角が折れ線状に隅切りされた印画物を得ることが可能である。よって、角が隅切りされた、触感がやさしくて扱いやすい印画物を得ることが可能である。
【００３６】
＜実施の形態２＞
図７は、本実施の形態２におけるプリンタの概略構成を示す図である。本実施の形態２におけるプリンタは、実施の形態１における切断部６に代えて切断部６Ａを備える。その他の構成は実施の形態１と同じため説明を省略する。
【００３７】
切断部６Ａは、第１の切断部７と、第２の切断部８から構成される。第１、第２の切断部７，８は用紙搬送方向（ｘ方向）に位置をずらして配置されている。第１、第２の切断部７，８のそれぞれは、カッターとカッター駆動部（図示せず）とを備える。
【００３８】
第１の切断部７のカッターは、カッター駆動部により上下方向（図１の±ｚ方向）に可動する可動刃７ａと、可動刃７ａの受け刃となる固定刃７ｂから構成される。図８（ａ）、図８（ｂ）のそれぞれは、第１の切断部７の可動刃７ａ、固定刃７ｂの平面図である。
【００３９】
図８（ａ）に示すように、可動刃７ａは、印刷用紙４の幅方向の角をそれぞれ隅切りする第１、第２の角切断用刃７１，７２を備える。第１、第２の角切断用刃７１，７２の形状は、実施の形態１における第１、第２の角切断用刃６１，６２と同じである。
【００４０】
第２の切断部８のカッターは、カッター駆動部により上下方向（図１の±ｚ方向）に可動する直線刃８ａと、直線刃８ａの受け刃となる固定刃８ｂから構成される。図８（ｃ）、図８（ｄ）のそれぞれは、第２の切断部８の直線刃８ａ、固定刃８ｂの平面図である。図８（ｃ）に示すように、直線刃８ａは、印刷用紙４の幅方向に延在する。
【００４１】
＜動作＞
図３および図４を用いて、本実施の形態１における切断部６の動作を説明する。まず、ロール紙４１がサーマルプリンタに装着されると、印刷用紙搬送ローラ５が駆動することによりロール紙４１から引き出された印刷用紙４が搬送される。印刷用紙４は、第１の切断部７まで搬送される。第１の切断部７において、カッター駆動部が可動刃７ａを駆動して印刷用紙４の前端となる部分が隅切りされる。さらに、印刷用紙４は、第２の切断部８まで搬送される。カッター駆動部が直線刃８ａを駆動して印刷用紙４の前端となる部分が切り離される。以上の切断動作により、印刷用紙４の前端が隅切りされた状態となる。
【００４２】
次に、実施の形態１で述べたように、印刷用紙にイエロー、マゼンタ、シアン、保護層が印画される。全ての色について熱転写が完了した後、印刷用紙搬送ローラ５は、印刷用紙４を、印刷用紙４の後端となる部分が第１の切断部７に来るまで搬送する。第１の切断部７において、カッター駆動部が可動刃７ａを駆動して印刷用紙４の後端となる部分が隅切りされる。さらに、印刷用紙４は、第２の切断部８まで搬送される。カッター駆動部が直線刃８ａを駆動して印刷用紙４の後端となる部分が切り離される。以上の切断動作により、四隅の角が曲線状に隅切りされた印画物を得る。
【００４３】
なお、本実施の形態２のプリンタによれば、四隅が隅切りされていない印画物を得ることもできる。この場合は、印刷用紙４の前端および後端の切断時において、第１の切断部７を動作させずに、第２の切断部８においてのみ切断を行えばよい。
【００４４】
また、本実施の形態２では、印刷用紙４の前端および後端の切断時において、第１の切断部７で切断を行った後に第２の切断部８で切断を行ったが、第２の切断部８で切断を行った後に第１の切断部７で切断を行ってもよい。
【００４５】
なお、用紙幅の異なる複数種類の印刷用紙４に対応するために、第１、第２の角切断用刃７１，７２の少なくとも一方が、用紙幅方向（±ｙ方向）に移動可能であってもよい。例えば、第１の角切断用刃７１の固定部を用紙幅方向に複数設けておき、印刷用紙４の幅に対応させて、第１の角切断用刃７１の固定位置を手動で変更する。固定は例えばネジ留めにより行う。また、例えば、モーターの回転に連動して、第１の角切断用刃７１が印刷用紙４の幅方向に連続的にスライド可能な構成としてもよい。このように、用紙幅方向に第１の角切断用刃７１の移動を可能とする構成は、スライド、ラッチ、ねじ固定等位置が可変できる構造であればいずれの方法を用いてもよい。
【００４６】
＜効果＞
本実施の形態２におけるプリンタにおいて、第１、第２の角切断用刃７１，７２は、直線刃８ａと分離している。
【００４７】
従って、第１、第２の角切断用刃７１，７２と、直線刃８ａとで別々に切断を行うことが可能となる。よって、第１、第２の角切断用刃７１，７２と、直線刃８ａの両方を動作させれば、四隅の角が隅切りされた印画物を得ることができる。また、直線刃８ａのみを動作させれば、四隅の角が隅切りされていない印画物を得ることができる。
【００４８】
このように、本実施の形態２によれば、四隅の角を隅切りした印画物および隅切りしていない印画物を選択的に得ることができる。
【００４９】
また、本実施の形態２におけるプリンタにおいて、第１、第２の角切断用刃７１，７２の少なくとも一方は、印刷用紙４の幅方向に移動可能である。
【００５０】
従って、用紙幅の異なる複数種類の印刷用紙４に対して、四隅の角を隅切りすることが可能となる。つまり、本実施の形態２のプリンタ１台で、様々な幅のカードを出力することが可能であり、利便性が向上する。また、用紙幅の異なる複数種類の印刷用紙４ごとに複数台のプリンタを用意する必要がないため、コストを削減することができる。
【００５１】
なお、本発明は、その発明の範囲内において、各実施の形態を自由に組み合わせたり、各実施の形態を適宜、変形、省略することが可能である。
【符号の説明】
【００５２】
１  サーマルヘッド、２  プラテンローラ、３  インクリボン、４  印刷用紙、５  印刷用紙搬送ローラ、６  切断部、６ａ，７ａ  可動刃、６ｂ，７ｂ，８ｂ  固定刃、８ａ  直線刃、７  第１の切断部、８  第２の切断部、３１  インクリボン巻出しボビン、３２  インクリボン巻き取りボビン、４１  ロール紙、６１，７１  第１の角切断用刃、６２，７２  第２の角切断用刃、６３  直線刃。
【図１】
2016179635.tif 000003
【図２】
2016179635.tif 000004
【図３】
2016179635.tif 000005
【図４】
2016179635.tif 000006
【図５】
2016179635.tif 000007
【図６】
2016179635.tif 000008
【図７】
2016179635.tif 000009
【図８】
2016179635.tif 000010